(57)【要約】【課題】回路構成を簡素化させ開発工数や期間を削減することで、複数の規格に対応する使い勝手の良い情報記録再生装置やビデオカメラを早期に実現すること。【解決手段】圧縮伸張部２００，３００は、複数の規格に共通する圧縮方式の処理を行う共通圧縮伸張部を有する。例えば、ＡＶＣＨＤ規格とＢＤ規格に共通の圧縮伸張部１１３ａ，１２３ａは、映像信号に対してＨ．２６４圧縮方式の処理を行い、音声信号に対してＤｏｌｂｙＤｉｇｉｔａｌ圧縮方式の処理を行う。フォーマット制御部４００は、複数の規格に共通するフォーマットの処理を行う共通フォーマット生成部を有する。例えば、ＡＶＣＨＤ規格とＢＤ規格に共通のフォーマット生成部４０１は、ＢＤＭＶサブセットに準拠してデータ構造及びディレクトリを含むフォーマットを生成する。【選択図】図４
2008311871.tif 000002
【特許請求の範囲】
【請求項１】
複数の記録媒体に対応し、複数の規格に準拠して記録再生を行う情報記録再生装置において、
情報信号を上記複数の規格に準拠した圧縮方式にて圧縮・伸張処理を行う圧縮伸張部と、
情報信号に対し上記複数の規格に準拠したフォーマットを生成処理するフォーマット制御部と、
上記処理されたデータを上記記録媒体に記録再生する記録再生部とを備え、
上記圧縮伸張部は、上記複数の規格に共通する圧縮方式の処理を行う共通圧縮伸張部を有し、
上記フォーマット制御部は、上記複数の規格に共通するフォーマットの処理を行う共通フォーマット生成部を有することを特徴とした情報記録再生装置。
【請求項２】
請求項１に記載の情報記録再生装置において、
前記複数の記録媒体には、ＤＶＤ、ＢＤ、ＨＤＤ及び半導体メモリを含み、
ＤＶＤ、ＨＤＤ及び半導体メモリに対する規格として、ＡＶＣＨＤの規格を含むことを特徴とした情報記録再生装置。
【請求項３】
請求項１または２に記載の情報記録再生装置において、
前記共通圧縮伸張部は、映像信号に対してＨ．２６４圧縮方式の処理を行い、音声信号に対してＤｏｌｂｙＤｉｇｉｔａｌ圧縮方式の処理を行うことを特徴とした情報記録再生装置。
【請求項４】
請求項１または２に記載の情報記録再生装置において、
前記共通フォーマット生成部は、ＢＤＭＶサブセットに準拠して共通のデータ構造及びディレクトリを含むフォーマットを生成し、ファイルフォーマットとしてＵＤＦを用いることを特徴とした情報記録再生装置。
【請求項５】
請求項４に記載の情報記録再生装置において、
前記フォーマット制御部は、さらに、規格独自のフォーマットの処理を行う個別フォーマット生成部を有し、
該個別フォーマット生成部は、記録媒体の規格を判定するとき、もしくは記録媒体を初期化するとき生成すべき独自のフォーマットの情報を取得しておき、その情報を利用して独自のディレクトリや管理情報ファイルを生成することを特徴とした情報記録再生装置。
【請求項６】
請求項１ないし５のいずれか１項に記載の情報記録再生装置において、
前記複数の記録媒体間でデータのダビング、コピー、移動を行う機能、または前記複数の記録媒体間で規格に準拠したデータ変換を行いながらデータを記録する機能を有することを特徴とした情報記録再生装置。
【請求項７】
請求項６に記載の情報記録再生装置において、
ＡＶＣＨＤ規格のフォーマットとＢＤ規格のフォーマットの間でデータ変換する場合、ディレクトリ構成、ＢＤＭＶの管理情報、映像音声の多重化ストリームの共通部分をコピーすることを特徴とした情報記録再生装置。
【請求項８】
請求項６に記載の情報記録再生装置において、
ＡＶＣＨＤ規格で記録されたＤＶＤ上のデータをＢＤにコピーする場合、ＡＶＣＨＤ規格のデータをＢＤ規格のフォーマットに変換してＨＤＤ上にコピーし、その後ＨＤＤ上のデータをＢＤに記録することを特徴とした情報記録再生装置。
【請求項９】
請求項６に記載の情報記録再生装置において、
ＨＤＤ上に記録されたＡＶＣＨＤ規格又はＢＤ規格のデータをＤＶＤ規格のフォーマットに変換してＤＶＤへ記録することを特徴とした情報記録再生装置。
【請求項１０】
請求項６に記載の情報記録再生装置において、
ＨＤＤ上に記録されたＢＤ規格のデータをＡＶＣＨＤ規格のフォーマットに変換して半導体メモリに記録する場合、ディレクトリ構成、ＢＤＭＶの管理情報、映像音声の多重化ストリームの共通部分をコピーすることを特徴とした情報記録再生装置。
【請求項１１】
撮影した映像を複数の記録媒体に複数の規格に準拠して記録するビデオカメラ装置において、
被写体を撮影し映像信号と音声信号を取得する撮像部と、
映像・音声信号を上記複数の規格に準拠した圧縮方式にて圧縮・伸張処理する圧縮伸張部と、
映像・音声信号に対し上記複数の規格に準拠したフォーマットを生成処理するフォーマット制御部と、
上記処理されたデータを、ＢＤ、ＤＶＤ、ＨＤＤ、ＳＤカードを含む各記録媒体に記録再生を行う記録再生部と、
各ブロックの動作を制御するシステム制御部とを備え、
上記圧縮伸張部は、映像信号に対してＨ．２６４圧縮方式の処理を行い、音声信号に対してＤｏｌｂｙＤｉｇｉｔａｌ圧縮方式の処理を行う、ＡＶＣＨＤ規格とＢＤ規格に共通の圧縮伸張部を有し、
上記フォーマット制御部は、ＢＤＭＶサブセットに準拠してデータ構造及びディレクトリを含むフォーマットを生成する、ＡＶＣＨＤ規格とＢＤ規格に共通のフォーマット生成部を有することを特徴としたビデオカメラ装置。
【請求項１２】
請求項１１に記載のビデオカメラ装置において、
ＡＶＣＨＤ規格のフォーマットとＢＤ規格のフォーマットの間でデータ変換する場合、前記共通のフォーマット生成部にて生成した共通のフォーマットをコピーすることを特徴としたビデオカメラ装置。
【発明の詳細な説明】
【技術分野】
【０００１】
本発明は、ディスク媒体等に映像・音声等の情報を記録する情報記録再生装置及びビデオカメラ装置に関する。
【背景技術】
【０００２】
昨今の民生用ビデオカメラは、上書きの心配がないことや映像検索の容易さなどの理由から、搭載する記録媒体はディスク媒体へ移行してきている。ディスク媒体としては、ＤＶＤなどの光ディスクやハードディスク（ＨＤＤ）が用いられ、また半導体メモリを搭載する製品も登場してきている。さらにカメラの長時間記録と高画質化のため、記録媒体の大容量化と高画質記録方式が進められている。
【０００３】
大容量光ディスクとして、ＢＤＡ（Ｂｌｕ−ｒａｙ  Ｄｉｓｃ  Ａｓｓｏｃｉａｔｉｏｎ）で策定された次世代光ディスクＢＤ（Ｂｌｕ−ｒａｙ  Ｄｉｓｃ）や、ＤＶＤフォーラムで規定されているＨＤ−ＤＶＤが登場し、今後高画質記録用ビデオカメラへの適用が予想される。
【０００４】
一方高画質化の技術として、従来の標準画像（ＳＤ：Ｓｔａｎｄａｒｄ  Ｄｅｆｉｎｉｔｉｏｎ）に代わり、高精細画像（ＨＤ：Ｈｉｇｈ  Ｄｅｆｉｎｉｔｉｏｎ）の記録機能が求められている。従来のＤＶＤにビデオデータを記録する際の記録フォーマットとしては、例えば特許文献１には、ビデオタイトルやチャプタの管理方法が開示される。従来のＤＶＤ規格ではＨＤ画像を記録することができなかったが、新たな符号化方式を取り入れたＡＶＣＨＤ（Ａｄｖａｎｃｅｄ  Ｖｉｄｅｏ  Ｃｏｄｅｃ  Ｈｉｇｈ  Ｄｅｆｉｎｉｔｉｏｎ）規格が発表され、従来のＤＶＤにＨＤ画像を記録することが可能となっている。例えば特許文献２には、ＡＶＣ／Ｈ．２６４符号化方式におけるランダムアクセスを可能にするための記録再生技術が開示される。
【０００５】
【特許文献１】特開２００３−３０８６７５号公報
【特許文献２】特開２００５−３４８３１４号公報
【発明の開示】
【発明が解決しようとする課題】
【０００６】
上記のように、ビデオカメラでＨＤ画像を記録するのであれば、従来のＤＶＤにＨＤ画像を記録することが可能なＡＶＣＨＤ規格を用いるか、もしくはＢＤＡで策定されているＢＤを用いることになる。なおＡＶＣＨＤ規格は、ＤＶＤだけでなくＳＤカードやＨＤＤへの記録も想定されている。
【０００７】
記録媒体としてＤＶＤを採用した場合、撮影時間があまり長くとれないという欠点がある。８ｃｍのＤＶＤは約１．４ＧＢであるから、ＨＤ画像を９Ｍｂｐｓで記録したとすると、撮影時間は２０分程度である。レートを下げたり２層のディスクを使用することも可能ではあるが、それでも４０分弱程度である。これに対しＢＤの容量は、８ｃｍディスクの場合約７ＧＢ強となるため、ＤＶＤに比べて撮影時間は約４倍以上となる。これより、ＨＤ記録に対応したビデオカメラには、長時間記録の点ではＢＤを採用するのが有利と見られる。あるいは、ＤＶＤフォーラムで規定されているＨＤ−ＤＶＤでも同様である。
【０００８】
このように、大容量媒体であるＢＤを採用したカメラが高画質・長時間記録の要求に応えるものとして期待されるが、ＢＤに対応したビデオカメラが製品化され普及するまでの期間は、ＡＶＣＨＤ対応カメラとの共存形態が予想される。そして、ＢＤカメラが登場した時には、ＡＶＣＨＤとの再生互換があれば便利である。さらに、ＢＤディスクはＤＶＤディスクよりも高価であるため、ＢＤカメラにおいて、安価なＤＶＤを使ってＨＤ記録が可能であればなお良い。このように、ＢＤカメラは、従来資産であるＤＶＤディスクにも対応できること、すなわちＡＶＣＨＤ規格との記録再生互換機能をもつことが望まれる。
【０００９】
さらに、媒体としてＨＤＤを追加して搭載したハイブリッドカメラの場合を想定する。その場合、ＨＤＤ上のデータはダビング機能を用いてＢＤやＤＶＤなどに記録することが可能となる。また、ＨＤＤを用いることによりＢＤとＤＶＤの間でのデータ交換、ダビングが高速で容易になる。ＤＶＤ用にデータを変換しＤＶＤへダビングすることで、従来のＤＶＤプレーヤとの互換を保つことが可能となり、またＢＤ用のデータに変換をしてＢＤへ記録することで、ＢＤプレーヤやＢＤレコーダとの互換が高いディスクを生成することが可能となる。ＨＤＤの代わりにＳＤカードやメモリスティックなどの半導体メモリを用いる場合でも同様である。これらの場合、複数の媒体や複数の規格に渡ってデータの交換がなされるので、それらの規格に対応した機能を備えねばならない。
【００１０】
このように複数の規格に対応するカメラの場合、それぞれに対応した機能を個別に具備することは、カメラの開発工数が増加し、かつ回路規模が増大してコスト高となる。
【００１１】
そこで本発明は、回路構成を簡素化させ開発工数や期間を削減することで、複数の規格に対応する使い勝手の良い情報記録再生装置やビデオカメラを早期に実現することを目的とする。
【課題を解決するための手段】
【００１２】
本発明は、複数の記録媒体に対応し、複数の規格に準拠して記録再生を行う情報記録再生装置において、情報信号を複数の規格に準拠した圧縮方式にて圧縮・伸張処理を行う圧縮伸張部と、情報信号に対し複数の規格に準拠したフォーマットを生成処理するフォーマット制御部と、処理されたデータを記録媒体に記録再生する記録再生部とを備える。ここに圧縮伸張部は、複数の規格に共通する圧縮方式の処理を行う共通圧縮伸張部を有し、フォーマット制御部は、複数の規格に共通するフォーマットの処理を行う共通フォーマット生成部を有する。
【００１３】
さらに上記情報記録再生装置において、複数の記録媒体間でデータのダビング、コピー、移動を行う機能、または複数の記録媒体間で規格に準拠したデータ変換を行いながらデータを記録する機能を有する。
【００１４】
本発明は、撮影した映像を複数の記録媒体に複数の規格に準拠して記録するビデオカメラ装置において、被写体を撮影し映像信号と音声信号を取得する撮像部と、映像・音声信号を上記複数の規格に準拠した圧縮方式にて圧縮・伸張処理する圧縮伸張部と、映像・音声信号に対し上記複数の規格に準拠したフォーマットを生成処理するフォーマット制御部と、処理されたデータを、ＢＤ、ＤＶＤ、ＨＤＤ、ＳＤカードを含む各記録媒体に記録再生を行う記録再生部と、各ブロックの動作を制御するシステム制御部とを備える。ここに圧縮伸張部は、映像信号に対してＨ．２６４圧縮方式の処理を行い、音声信号に対してＤｏｌｂｙＤｉｇｉｔａｌ圧縮方式の処理を行う、ＡＶＣＨＤ規格とＢＤ規格に共通の圧縮伸張部を有する。フォーマット制御部は、ＢＤＭＶサブセットに準拠してデータ構造及びディレクトリを含むフォーマットを生成する、ＡＶＣＨＤ規格とＢＤ規格に共通のフォーマット生成部を有する。
【発明の効果】
【００１５】
本発明によれば、各種の記録媒体に対応し、高画質記録を含む複数の規格に対応する使い勝手の良い情報記録再生装置やビデオカメラを早期に実現することができる。
【発明を実施するための最良の形態】
【００１６】
以下、図面を参照して本発明の実施形態について説明する。
図１は、本発明による情報記録再生装置として、カメラ一体型記録装置の一実施例を示すブロック図である。まず、装置全体の構成を説明する。
【００１７】
ユーザが操作する操作部１００には、録画／停止キーやズームキー、記録モードの選択キーなどを含む。システム制御部１０１は、多重／分離処理や各種フォーマット制御、媒体へのリードライトの制御、その他各部を統括して制御する。撮像部１１０は、被写体の像を結像するための光学レンズと結像した光を電気信号に変換するための光電変換手段であるＣＣＤセンサもしくはＣＭＯＳセンサを含む。Ａ／Ｄ変換器１１１は映像の電気信号をデジタル信号に変換する。信号処理部１１２はデジタル信号に変換された画像情報を映像信号に変換するための処理を行う。映像圧縮伸張部１１３は、映像信号をＭＰＥＧ２やＨ．２６４のような所定の符号化方式に従って圧縮及び伸張処理する。表示部１１４は映像を表示する。なお表示部１１４は、ファインダ内の表示部と、ビデオカメラの筐体の外側に設けられた可動式の表示部とに分けてもよい。マイク１２０は集音した音声を電気的な音声信号に変換し、スピーカ１２４は音声を出力する。アンプ（ＡＭＰ）１２１は音声信号を増幅し、Ａ／Ｄ変換器（Ｄ／Ａ変換器）１２２は音声の電気信号をデジタル信号に変換する。音声圧縮伸張部１２３は、デジタル音声を、Ｄｏｌｂｙ  ＤｉｇｉｔａｌやＭＰＥＧのような所定の符号化方式に従って圧縮及び伸張処理する。
【００１８】
多重／分離部１３１は、映像圧縮伸張部１１３で生成された動画圧縮ストリーム、及び音声圧縮伸張部１２３で生成された音声圧縮ストリームとを多重化する。大容量メモリ１３０は、映像圧縮伸張部１１３が圧縮処理した画像データ、及び音声圧縮伸張部１２３により圧縮処理された音声データ、及びこれらの多重化されたデータを一時的に記憶する。ＡＴＡＰＩ／ＡＴＡ部１３２は、特定の規格に従ったインターフェース部である。記録媒体として、ＢＤやＤＶＤ等の光ディスク１４１と、ＨＤＤ（ハードディスク）１４２を搭載する。媒体Ｒ／Ｗ制御部１３３は、光ディスク（ＢＤもしくはＤＶＤ）１４１やＨＤＤ１４２に記録再生する際、動画像のデータファイルを所定のファイル形式でリードライトするための制御を行う。
【００１９】
フォーマット制御部１５０は、記録媒体の種類を識別してＢＤＭＶ−ｓ規格やＶＲ規格、ＶＦ規格など各種の規格に準拠したフォーマットの情報を生成する。ＭＭＣ制御部１３４は、ＳＤカードやＭＭＣ（Ｍｕｌｔｉ  Ｍｅｄｉａ  Ｃａｒｄ）などのカード媒体１４３に記録する場合に使用する。カード媒体１４３には通常は静止画の記録を行うが、多重／分離部１３１の結果を所定のフォーマットに変換して動画データを記録することもできる。
【００２０】
ここで、映像圧縮伸張部１１３、音声圧縮伸張部１２３、多重／分離部１３１、フォーマット制御部１５０、及びシステム制御部１００の各機能は、好ましくはマイクロプロセッサでプログラムを実行することにより実現できるが、それらの一部又は全部をハードウェアで構成してもよい。また、図１では制御線や情報線は説明上必要と考えられるものを示しており、実際の装置における全ての制御線や情報線を示しているとは限らない。実際には、ほとんど全ての構成要素が相互に接続されていると考えてよい。
【００２１】
次に、本実施例のカメラ一体型記録装置の記録動作について説明する。
操作部１００の操作によって動画撮影モードが選択された場合、システム制御部１００はその選択を認識して装置全体を以下のように制御する。撮像部１１０は動画信号発生モードに切り替えられる。そして、光学レンズによって結像された映像は、ＣＣＤもしくはＣＭＯＳセンサで電気信号に変換され、Ａ／Ｄ変換器１１１でデジタル信号に変換された後、信号処理部１１２で映像データに変換処理される。その後、映像データは映像圧縮伸張部１１３で圧縮処理され、メモリ１３０に一時記憶される。この圧縮処理は、映像圧縮伸張部１１３とメモリ１３０との間で圧縮処理中の映像データをやりとりしながら、順次動画圧縮ストリームに変換処理する。一方、マイク１２０で集音された音声は、ＡＭＰ１２１とＡ／Ｄ変換器１２２を通してデジタル信号に変換された後、音声圧縮伸張部１２３で圧縮処理され、音声圧縮ストリームとしてメモリ１３０に一時記憶される。その後、メモリ１３０に記憶されている動画圧縮ストリームと音声圧縮ストリームは、多重／分離部１３１で多重化処理され、多重処理データとしてメモリ１３０に一時記憶される。
【００２２】
さらにフォーマット制御部１５０は、記録の規格に準拠した記録フォーマットを構築する。そして、メモリ１３０から読み出した多重処理データを、媒体Ｒ／Ｗ制御部１３３及びＡＴＡＰＩ／ＡＴＡ部１３２を介して、構築した所定の記録フォーマットで記録媒体（ＤＶＤもしくはＢＤ）１４１及びＨＤＤ１４２に記録する。この場合、一方の媒体に記録しても良いし、両方の媒体に同時に記録することもできる。本実施例では、複数の規格に対する記録フォーマットの生成と管理に特徴があり、フォーマット制御部１５０は、予め決められた所定のフォーマットで管理し、撮影された映像は、その映像のシーン毎に記録媒体に記録される。
【００２３】
ここで、ＡＶＣＨＤ規格の記録フォーマットとＢＤ規格の記録フォーマットとは多くの点で類似しており、ほとんどの制御ソフトウェア（ライブラリ）やハードウェア手段を共通化して利用できる。すなわち、構成要素を共通化することで、新規のソフトウェアやハードウェアをほとんど追加せずに、ＡＶＣＨＤと互換を持つＢＤカメラを提供することができる。また、従来のＤＶＤ規格で使用した手段も流用することにより、従来のＤＶＤへの記録・再生にも対応するものとする。このように本実施例では、ＢＤカメラにおいて、ＡＶＣＨＤとの共通部分を資産化することで開発工数や期間を削減し、上記カメラを早期に実現するものである。
【００２４】
次に、記録フォーマットの具体的な制御方法について説明する。
図２は、各種媒体の記録フォーマットに対応する圧縮伸長部の構成例を示す図である。この部分は、図１における映像圧縮伸張部１１３、音声圧縮伸張部１２３、多重／分離部１３１に関して機能の共通化を図ったものである。ＡＶコーデック処理部２００は、映像圧縮伸張部１１３としてＨ．２６４圧縮伸長部１１３ａとＭＰＥＧ２圧縮伸長部１１３ｂを、音声圧縮伸張部１２３としてＤｏｌｂｙ  Ｄｉｇｉｔａｌ圧縮伸長部１２３ａを含み、実際のＬＳＩに見立てた場合を示している。もちろんソフトウェアのブロックでもよいし、ＬＳＩの中にコプロセッサなどが搭載されていても構わない。その場合には、プログラムをダウンロードして動作させるための準備処理が含まれる。ＡＶコーデック部２００の信号入出力は端子２０１，２０２を介して行うが、端子２０１はＨＤ画質の記録を行う場合、端子２０２はＳＤ画質の記録を行う場合の端子である。
【００２５】
ここでは記録媒体として、ＢＤフォーマットで記録されるＢＤのディスク２２０と、ＡＶＣＨＤフォーマットで記録されるＤＶＤ２２１と、従来ＤＶＤのフォーマット（ＶＲ，ＶＦ，＋ＶＲなど）で記録されるＤＶＤ２２２を用いる場合を示す。また、端子２１０はＢＤ２２０にデータを記録する場合のパスを選択するための端子を、端子２１１，２１２はＤＶＤ２２１，２２２に記録する場合のパスを選択するための端子を示している。但し実際の装置構成では、ＤＶＤ２２１，２２２は何れか一方のみが搭載され同一の位置に収納されるから、端子２１１と２１２は共通である。図２では、フォーマットを切り替えた時の対応関係を示したものである。
【００２６】
ＤＶＤへＳＤ記録を行う場合には、ＭＰＥＧ２処理とＤｏｌｂｙ  Ｄｉｇｉｔａｌ処理の組み合わせだけでよかったが、ＨＤ記録するためにＨ．２６４のコーデックが必要となる。そのためＡＶコーデック２００は、ＨＤ記録が要求された場合には、Ｈ．２６４とＤｏｌｂｙ  Ｄｉｇｉｔａｌの組み合わせを端子２０１から出力し、ＳＤ記録の場合には、ＭＰＥＧ２とＤｏｌｂｙ  Ｄｉｇｉｔａｌの組み合わせを端子２０２から出力する構成とする。この場合、音声圧縮伸長部１２３を共通に用いる構成とした。例えばユーザが、ＨＤ画質の記録を行いたいのであれば、ＢＤフォーマットかＡＶＣＨＤフォーマットが必要となるので、出力端子２０１を媒体側の端子２１０、もしくは２１１に接続して記録を開始する。従来のＤＶＤへの記録が要求された場合には、端子２０２を端子２１２に接続すればよい。もし、ＳＤ画質でＢＤに記録する場合があれば、端子２０２を端子２１０に接続することで記録が実現できる。上記説明した接続切替（パスの選択）は、ディスクをビデオカメラにセットした時に、ディスクの情報（媒体の種類や管理情報により記録されているフォーマットの内容）を取得できるので、この取得した情報に基づいてシステム制御部１０１にて自動的に切り替えることができる。さらに必要があれば、動作を制限したいパス（例えば従来ＤＶＤ２２２へＨＤ画質で記録する場合）をユーザが選択した場合、これを実行できないように制限することもできる。
【００２７】
次に図３は、記録媒体がＨＤＤの場合に各種記録フォーマットに対応する圧縮伸長部の構成例を示す図である。記録媒体３２０，３２１，３２２は全てＨＤＤであり、記録フォーマットがＢＤフォーマットであるか、ＡＶＣＨＤフォーマットであるか、ＤＶＤ対応フォーマットであるかにより区別している。ＡＶコーデック３００の構成と各端子３０１，３０２，３１０，３１１，３１２は、前記図２の場合と同様であり、音声圧縮伸長部１２３を共通に用いる構成とした。なお、実際の装置では端子３１０，３１１，３１２は共通である。
【００２８】
例えばユーザが、ＨＤ画質の記録を行いたいのであれば、ＢＤフォーマットかＡＶＣＨＤフォーマットが必要となるので、端子３０１を３１０、もしくは３１１に接続して記録を開始する。従来のＤＶＤフォーマットの記録が要求された場合には、端子３０２を３１２に接続すればよい。もし、ＳＤ画質でＢＤフォーマットに記録する場合があれば、端子３０２を端子３１０に接続することで記録が実現できる。
【００２９】
図４は、各種記録フォーマットに対応するフォーマット制御部の構成例を示す図である。ここでは記録媒体として、図２と同様に、ＢＤフォーマットで記録されるＢＤ４２０と、ＡＶＣＨＤフォーマットで記録されるＤＶＤ４２１と、従来ＤＶＤのフォーマットで記録されるＤＶＤ４２２を用いる場合とする。フォーマット制御部４００は図１のフォーマット制御部１５０に相当し、ここで必要なフォーマットを生成する。フォーマット制御部４００には、図２と図３のＡＶコーデック２００，３００からの圧縮された信号が入力される。
【００３０】
フォーマット制御部４００は、共通フォーマット生成部４０１と個別フォーマット生成部４０２とを有する。共通フォーマット生成部４０１は、ＡＶＣＨＤとＢＤフォーマットに共通するフォーマット（共通仕様）を生成する。共通仕様には、例えば、ディレクトリ構成や各種管理情報が含まれる。
【００３１】
図５は、ディレクトリ構成の共通部分の具体例を示したものである。ここで、ディレクトリ名「ＢＤＭＶ」、「ＰＬＡＹＬＩＳＴ」などの大文字で示す部分はＡＶＣＨＤとＢＤフォーマットに共通する部分である。
【００３２】
また、論理層のファイルシステムについても共通部分を有する。さらにＢＤとＡＶＣＨＤを記録する際に両規格を満足するように記録すればなお良い。そうすれば、ビデオカメラで記録したものに関しては完全に同じフォーマットとなるので、再生やダビングの際にも非常に高速に処理ができる。
【００３３】
一方個別フォーマット生成部４０２は、共通でない部分（非共通部分）のフォーマットを生成する。ここではＤＶＤのフォーマットは共通しない部分である。具体的にはＶＲ，ＶＦ，＋ＶＲフォーマットなどを生成するが、ＤＶＤ−ＲＡＭの場合はＶＲを、ＤＶＤ−Ｒの場合はＶＦを、ＤＶＤ＋ＲＷやＤＶＤ＋Ｒの場合は＋ＶＲフォーマットを用いる。
【００３４】
ユーザがＨＤ記録を行う場合には、ＢＤのフォーマットかＡＶＣＨＤのフォーマットが必要となる。この２つのフォーマットにおいては上記したようにディレクトリ構成や内部の管理情報に関してほぼ同一であるから、その共通部分を予め仕分けしておき、共通フォーマット生成部４０１にて生成する。一方、非共通の部分を個別フォーマット生成部４０２で生成して、共通部分に追加するようにすれば効率が良い。
【００３５】
すなわち、複数規格のフォーマットを生成する場合、共通の仕様部分を生成する共通フォーマット生成部を設けておけば、それを活用することで回路規模やコード量の削減と開発工数の削減が実現できる。また、本来３種類（ＢＤ、ＡＶＣＨＤ、ＤＶＤ）のフォーマット生成部が必要であるが、図４で示すように共通手段を活用することにより、ＨＤ記録用の生成部４０１とＳＤ記録用の生成部４０２の２つの構成で済むことになる。もちろんこれでも不足する部分がある場合には、別途対応するソフトウェアを追加する必要があるが、それはわずかである。
【００３６】
上記説明したように、図２や図３のＡＶコーデックの出力切替と図４のフォーマット制御部の出力切替の組み合わせにより、よりシンプルに制御を行うことが可能となる。また、処理回路やソフトウェアを共通資産化しておけば、これを活用することで構成の簡素化や開発工数の低減が可能となるので、ユーザに対し早期にＨＤ画質の記録が可能なビデオカメラを提供できる。
【００３７】
次に、ＡＶＣＨＤフォーマットとＢＤフォーマットにおける、具体的なフォーマット生成と管理（ディレクトリ構成や管理情報ファイルの制御）方法について説明する。
【００３８】
図６は、ＡＶＣＨＤフォーマットとＢＤフォーマットにおけるディレクトリとファイルの構成を比較して示す図である。（ａ）はＡＶＣＨＤフォーマットの場合、（ｂ）はＢＤフォーマットの場合である。
【００３９】
符号６０１は、ＡＶＣＨＤフォーマットにおけるルート以下のディレクトリの生成を示しており、ディレクトリ名は「ＢＤＭＶ」と「ＡＶＣＨＤＴＮ」である。符号６１１は、ＢＤフォーマットにおけるルート以下のディレクトリの生成を示しており、ディレクトリ名は「ＢＤＭＶ」と「ＣＥＲＴＩＦＩＣＡＴＥ」である。ここで両者のフォーマットは、符号６２１で示す部分、すなわち「ＢＤＭＶ」というディレクトリ名を共通に有する。
【００４０】
符号６０２は、ＡＶＣＨＤフォーマットにおける「ＢＤＭＶ」以下のファイルの生成を示しており、ファイル名は「Ｉｎｄｅｘ．ｂｄｍｖ」と「ＭｏｖｉｅＯｂｊｅｃｔ．ｂｄｍｖ」である。符号６１２は、ＢＤフォーマットにおける「ＢＤＭＶ」以下のファイルの生成を示しており、ファイル名は「Ｉｎｄｅｘ．ｂｄｍｖ」と「ＭｏｖｉｅＯｂｊｅｃｔ．ｂｄｍｖ」である。この「Ｉｎｄｅｘ．ｂｄｍｖ」は必須ファイルであり、どのようなメニューを持つかなどの基本的な情報を管理するものである。また、「ＭｏｖｉｅＯｂｊｅｃｔ．ｂｄｍｖ」も必須ファイルであり、どの映像ソースを再生するかなどの情報を管理するものである。両者のフォーマットは、符号６２２で示す部分、「Ｉｎｄｅｘ．ｂｄｍｖ」と「ＭｏｖｉｅＯｂｊｅｃｔ．ｂｄｍｖ」のファイル名を共通に有する。
【００４１】
符号６０３は、ＡＶＣＨＤフォーマットにおける「ＢＤＭＶ」以下のディレクトリ構成であり、符号６１３はＢＤフォーマットにおける「ＢＤＭＶ」以下のディレクトリ構成である。ここでは、符号６２３に示す部分が共通のディレクトリ名であり、これには、「ＰＬＡＹＬＩＳＴ」、「ＣＬＩＰＩＮＦ」、「ＳＴＲＥＡＭ」、「ＢＡＣＫＵＰ」が含まれる。なおＢＤフォーマットの場合には、さらに「ＡＵＸＤＡＴＡ」、「ＭＥＴＡ」、「ＢＤＪＯ」、「ＪＡＲ」が独自のディレクトリ名として必要となる。
【００４２】
なお、「ＰＬＡＹＬＩＳＴ」、「ＣＬＩＰＩＮＦ」、「ＳＴＲＥＡＭ」、「ＢＡＣＫＵＰ」以下には、各種管理情報ファイルが存在する。「ＰＬＡＹＬＩＳＴ」以下には撮影した映像の長さなど格納する管理ファイルがあり、「ＣＬＩＰＩＮＦ」以下には撮影したストリーム情報の管理情報がある。「ＳＴＲＥＡＭ」以下には撮影したストリームファイルそのものが格納されている。「ＢＡＣＫＵＰ」には、前記「ＰＬＡＹＬＩＳＴ」や「ＣＬＩＰＩＮＦ」等の情報がバックアップされている。「ＰＬＡＹＬＩＳＴ」、「ＣＬＩＰＩＮＦ」、「ＳＴＲＥＡＭ」の３個のディレクトリ、及びこれらディレクトリ以下の情報が基本的な撮影したコンテンツの情報となる。このように、ＡＶＣＨＤフォーマットとＢＤフォーマットでは、撮影に必要な基本部分（ディレクトリ名とファイル名）は共通していることが分かる。
【００４３】
次に、図６に示したフォーマット構成を効率的に生成するための方法を説明する。
図７は、２つのフォーマット構成における生成処理を共通部分と非共通部分に分けた状態を示す図である。図６で示したフォーマット構成について、共通する処理である符号７０１，７０２，７０３の部分と、共通しない処理（すなわち規格独自）である符号７０４の部分に分ける。このうち共通部分７０１，７０２，７０３については、撮影が開始されるとフォーマットに関わらず同じ処理を行うことで処理の効率化を図ることができる。
【００４４】
一方規格独自部分７０４に関しては、事前に、フォーマットによって独自に必要な情報を取得しておき、その情報を展開するだけにしておく。こうすることで分岐も要らないシンプルな構成で独自部分の処理を実現できる。処理７０４では、ルート以下ディレクトリ生成とＢＤＭＶ以下のディレクトリ生成を行うものである。この作業を効率よく実行するために、図７に示すように、ルート以下に配置するディレクトリ名を格納しておく変数ａａａを設ける。また、「ＢＤＭＶ」以下のディレクトリ情報を格納しておく変数ｂｂｂを設ける。これらの変数は、ディレクトリの情報を格納するためのものであるから、形式は問わず、配列でもテーブルでも良い。
【００４５】
図８は、規格独自部分７０４の処理工程について説明する図である。判定工程８００では、カメラにセットされたディスク媒体とフォーマットを判定する。その判定結果に従い、ＢＤとＡＶＣＨＤの処理を進める。ＢＤフォーマットの時には、工程８０１に示すように、変数ａａａに「ＣＥＲＴＩＦＩＣＡＴＥ」のディレクトリ名を格納する。また変数ｂｂｂには「ＡＵＸＤＡＴＡ」、「ＭＥＴＡ」、「ＢＤＪＯ」、「ＪＡＲ」を格納する。一方ＡＶＣＨＤフォーマットの時には、工程８０２に示すように、変数ａａａに「ＡＶＣＨＤＴＮ」を格納する。変数ｂｂｂにはディレクトリが存在しないことを示す情報（例えば０）を格納する。
【００４６】
判定工程８００は、ディスクがカメラにセットされた時に媒体やフォーマット内容を確認できるので、そのタイミングで変数ａａａとｂｂｂにデータを格納する。こうしておけば、それ以降の任意のタイミングで図７の処理が実行されても、ａａａとｂｂｂに格納済みの情報を用いることで、特に分岐処理を増やすことなく効率的な処理を行うことが可能となる。なお、判定工程８００のフォーマット判定のタイミングについては、フォーマットされていないディスクの場合、ユーザがフォーマットを選択したタイミングで行ってもよい。
【００４７】
また、共通部分の処理７０１と７０２は、撮影ごとではなく、例えばＥｊｅｃｔのタイミングやＵＳＢでＰＣに接続するタイミングで行っても良い。なぜなら、ディスクをカメラから取り出す、もしくは情報をＰＣで読み取る時にディレクトリ構成が規格に準拠していれば良いからである。さらに、処理７０１の「ＢＤＭＶ」のように、一度書いてしまえば良いディレクトリに関しては、フォーマット直後に事前に作成しておいても構わない。同様に、独自部分の処理７０４の一部に記録毎に変化しないディレクトリがあれば、ディスクのフォーマットの時に処理する方がさらに効率的である。
【００４８】
本実施例のＢＤとＨＤＤのハイブリッドカメラにおいては、データの変換、ダビング機能などを用いることにより、本体だけで互換の高いデータ形式でディスクに記録保存することが可能となる。以下、ダビング機能について具体的に説明する。
【００４９】
図９は、ＡＶＣＨＤで記録したＤＶＤディスクからＢＤディスクへ記録する処理を説明する図である。すなわち、ＢＤ／ＨＤＤのハイブリッドカメラで、ＤＶＤディスク上のＡＶＣＨＤのデータをＢＤディスクにコピーする場合である。
【００５０】
処理９００は、ＤＶＤ９０１上のデータをＨＤＤ９０２へダビングする処理である。ＤＶＤ９０１では、ＡＶＣＨＤフォーマットで記録されており、ＨＤＤ９０２では、フォーマット変換してＢＤフォーマットで記録されている。次に処理９１０は、処理９００で変換されたＨＤＤ９１２（９０２）上のデータをＢＤ９１１へコピーする処理である。ＢＤ９１１では、ＢＤフォーマットで記録されている。
【００５１】
処理９００の手順を説明する。ユーザはまずカメラにＡＶＣＨＤ記録のＤＶＤディスク９０１をセットする。その後図示していないメニュー、もしくは専用ボタンなどを利用して、ＢＤフォーマットに変換しながらＨＤＤ９０２へデータをコピーする。この時ＨＤＤ９０２上のファイルシステムとしてＵＤＦ（Ｕｎｉｖｅｒｓａｌ  Ｄｉｓｋ  Ｆｏｒｍａｔ）２．５／２．６を用いれば、ファイルフォーマットの変換が不要となり負荷を削減できる（もし、ＨＤＤ上のファイルシステムがＵＤＦではなくＦＡＴであれば、フォーマット変換が必要となる）。さらに記録フォーマットをＡＶＣＨＤとＢＤで共通化することで、コピーを簡単化する。つまり、ＡＶＣＨＤとＢＤとで記録時に全く同じＢＤＭＶサブセット準拠のフォーマットを生成すれば、コピーの効率が向上する。ただし、規格の上では一部異なる部分を含む。例えば、ユーザが使用できる拡張データ（ＥｘｔｅｎｓｉｏｔｎＤａｔａ領域）などはＡＶＣＨＤとＢＤとで使用する情報（ＩＤ）が異なるものと規定されているので、単純なコピーだけでは済まない部分もありえる。ただし、そのような細部を除けば、ほとんどのデータや管理情報、映像データ本体などはコピーが可能と言える。
【００５２】
処理９１０の手順を説明する。フォーマット変換コピーが終わったら、カメラからＡＶＣＨＤ記録のＤＶＤディスク９０１を取り出し、ＢＤのディスク９１１をセットする。その後図示していないメニュー、もしくは専用ボタンなどを利用して、ＨＤＤ９１２（９０２）からＢＤ９１１へコピーする。この場合、ＨＤＤ９１２のフォーマットはＢＤフォーマットになっているので単純なコピーで済む。そのためコピーを高速に行うことができる。
【００５３】
図１０は、ＨＤＤ上のデータをＤＶＤへ記録する処理を説明する図である。この場合、ＨＤＤ上にあるＨＤ画質のデータを、互換性の高いＤＶＤディスクへＳＤ画質に変換してコピーすることになる。まず、このような用途について触れておく。ＡＶＣＨＤやＢＤの互換性は、従来市場に出回っているＤＶＤプレーヤやレコーダの数から見て、ＤＶＤよりも互換性が低いことは否めない。よって、他人へＡＶＣＨＤやＢＤディスクを送っても、受け取り側で再生できない可能性が高い。そこでＳＤ画質になっても互換性の高いＤＶＤへコピーできる機能が搭載されていることは、ユーザにとって便利である。
【００５４】
図１０において処理１０００は、ＡＶＣＨＤフォーマットで記録されたデータを持つＨＤＤ１００１からＤＶＤ１００２へデータ記録する処理である。ＤＶＤ１００２では、ＤＶＤフォーマットで記録されている。また処理１０１０は、ＢＤフォーマットで記録されたデータを持つＨＤＤ１０１１からＤＶＤ１０１２へ記録する処理である。ＤＶＤ１０１２では、同様にＤＶＤフォーマットで記録されている。
【００５５】
処理１０００の手順を説明する。ユーザはまずカメラにＤＶＤディスク１００２をセットする。その後図示していないメニュー、もしくは専用ボタンなどを利用して、ＨＤＤ１００１のＡＶＣＨＤフォーマットをＤＶＤフォーマットへ変換して、ＤＶＤ１００２へデータを記録していく。この時、ＡＶＣＨＤフォーマットからＶＲ（ＤＶＤ−ＲＡＭ、−ＲＷの場合）、ＶＦ（ＤＶＤ−Ｒ、−ＲＷの場合）、＋ＶＲ（ＤＶＤ＋ＲＷ，＋Ｒの場合）など媒体に合わせたフォーマット変換が必要であり、多重化されたパケットレベルではＡＶＣＨＤのＴＳ（トランスポートストリーム）をＰＳ（プログラムストリーム）に変換する必要がある。また、規格に準拠するためにコーデックの変更も必要となる。具体的にはＨ．２６４のＨＤのフォーマットをＭＰＥＧ２のＳＤのフォーマットにトランスコードする。そのため再エンコード処理が必要になる。但し音声に関しては変更する必要がないので、ＥＳ（エレメンタリーストリーム）のままの変換で構わない。この時、レ−トの変換を合わせて行うこともできる。例えば、３８４Ｋｂｐｓから２５６Ｋｂｐｓに変換する。再エンコードにより若干の音質低下が生じるが、カメラ用途では十分である。処理１０１０はＨＤＤ１０１１上にＢＤフォーマットでデータが記録されている場合であり、その処理は上記処理１０００と同様である。
【００５６】
図１１は、ＨＤＤ上のデータをＢＤへ記録する処理を説明する図である。処理１１００は、ＨＤＤ１１０１上のＡＶＣＨＤフォーマットのデータをＢＤ１１０２へコピーする処理であり、ＢＤ１１０２では、フォーマット変換後にＢＤフォーマットとなったデータが記録されている。この処理は図９の処理９００と逆の処理であり、説明を省略する。また処理１１１０は、ＨＤＤ１１１１上のＢＤフォーマットのデータをＢＤ１１１２へコピーする処理であり、フォーマット変換はない。この処理は図９の処理９１０と同様である。図９ではダビングの過程で行ったが、単体でも処理が可能であることを示すものである。
【００５７】
図１２は、ＨＤＤ上のデータを半導体メモリ（ＳＤカードやメモリスティックなど）に記録する処理を説明する図である。処理１２００は、ＡＶＣＨＤフォーマットで記録されたデータを持つＨＤＤ１２０１から、半導体メモリ１２０２へデータをコピーする処理である。半導体メモリ１２０２には、データがＡＶＣＨＤで記録される。また、処理１２１０は、ＢＤフォーマットで記録されたデータを持つＨＤＤ１２１１から半導体メモリ１２１２へ、ＡＶＣＨＤフォーマットに変換されたデータをコピーする処理である。
【００５８】
処理の手順を説明する。ユーザはまずカメラに半導体メモリをセットする。その後図示していないメニュー、もしくは専用ボタンなどを利用してＡＶＣＨＤフォーマットを半導体メモリにコピーする。処理１２００の場合には、同じフォーマットなので単純なデータコピーで構わない。また、処理１２１０の場合には、ＨＤＤにＢＤフォーマットで記録されている場合には、フォーマット部分はそのままコピーし、それ以外の部分は、最低限のフォーマット変換を行えば良い。
【００５９】
上記説明したように、ＨＤＤとＤＶＤ／ＢＤのハイブリッドカメラにおいてＡＶＣＨＤフォーマットに対応することにより、容易にＡＶＣＨＤディスクをＢＤディスクへコピーでき、かつ互換性の高いＤＶＤへのダビングが可能となる。また、半導体メモリやＤＶＤ（ＡＶＣＨＤフォーマット含む）、ＢＤの間でのデータ変換（ダビング・コピー・移動）も可能となりユーザの利便性が向上する。
【００６０】
以上述べた各実施例によれば、例えばＡＶＣＨＤ規格に準拠したＢＤ対応ビデオカメラを開発する上で、開発工数の削減ができ、より早く、ユーザに対してＨＤ画質の記録可能なビデオカメラを提供できる。また、ＨＤ画質の記録を行うのにＢＤディスクだけでなく、ＡＶＣＨＤ記録でＤＶＤへの記録が可能なため、ユーザは、ＢＤよりも安価なＤＶＤを利用してＨＤ画質を楽しむことができる。よって、ユーザの使い勝手の優れたものとなる。
【図面の簡単な説明】
【００６１】
【図１】本発明による情報記録再生装置として、カメラ一体型記録装置の一実施例を示すブロック図。
【図２】各種媒体の記録フォーマットに対応する圧縮伸長部の構成例を示す図。
【図３】ＨＤＤ媒体の各種記録フォーマットに対応する圧縮伸長部の構成例を示す図。
【図４】各種記録フォーマットに対応するフォーマット制御部の構成例を示す図。
【図５】ＡＶＣＨＤとＢＤフォーマットに共通するディレクトリ構成を示す図。
【図６】ＡＶＣＨＤとＢＤフォーマットにおけるディレクトリとファイルの構成を比較して示す図。
【図７】ＡＶＣＨＤとＢＤフォーマットの生成処理を共通部分と非共通部分に分けた状態を示す図。
【図８】規格独自部分の処理工程について説明する図。
【図９】ＡＶＣＨＤで記録したＤＶＤからＢＤへ記録する処理を説明する図。
【図１０】ＨＤＤからＤＶＤへ記録する処理を説明する図。
【図１１】ＨＤＤからＢＤへ記録する処理を説明する図。
【図１２】ＨＤＤから半導体メモリへ記録する処理を説明する図。
【符号の説明】
【００６２】
１００…操作部
１０１…システム制御部
１１０…撮像部
１１１…ＡＤ変換部
１１２…信号処理部
１１３…映像圧縮伸張部
１１４…表示部
１２０…マイク
１２１…ＡＭＰ
１２２…ＡＤ／ＤＡ変換部
１２３…音声圧縮伸張部
１２４…スピーカ
１３０…大容量メモリ
１３１…多重／分離部
１３２…ＡＴＡＰＩ／ＡＴＡ部
１３３…媒体Ｒ／Ｗ制御部
１３４…ＭＭＣ制御部
１４１…光ディスク媒体（ＤＶＤ／ＢＤ）
１４２…ＨＤＤ媒体
１４３…カード媒体
１５０，４００…フォーマット制御部
２００…ＡＶコーデック
４０１…共通フォーマット生成部
４０２…個別フォーマット生成部。
【図１】
2008311871.tif 000003
【図２】
2008311871.tif 000004
【図３】
2008311871.tif 000005
【図４】
2008311871.tif 000006
【図５】
2008311871.tif 000007
【図６】
2008311871.tif 000008
【図７】
2008311871.tif 000009
【図８】
2008311871.tif 000010
【図９】
2008311871.tif 000011
【図１０】
2008311871.tif 000012
【図１１】
2008311871.tif 000013
【図１２】
2008311871.tif 000014